(57)【要約】【課題】１台で自在屈曲搬送が出来る、シンプルな構造で安価なスクリューコンベヤーを提供する。【解決手段】規格配管部品のパイプを使用し、そのパイプの内径に合わせ熱処理加工した螺旋状コイルをモータで回転させ物体を搬送するコンベヤーにおいて、前記パイプが１か所以上の曲がった部分を有し、更にその屈曲半径を小さくすることができる。【選択図】  図１
2004224566.tif 000002
【特許請求の範囲】
【請求項１】
１か所以上の曲がった部分を有するパイプ内の軸無し螺旋状コイルを回転させて物体を搬送するコンベヤーにおいて、１台で自在屈曲の搬送ができるスクリューコンベヤー。
【請求項２】
コイルに熱処理加工を施すことにより、コイルに強度と粘りを持たせコイルの厚みが薄くできたことによりパイプの曲率半径を小さくできる事を特徴とする請求項１記載のスクリューコンベヤー。
【請求項３】
複数の曲がった部分を有する昇り搬送において２点駆動にすることを特徴とする請求項２記載のスクリューコンベヤー。
【請求項４】
異物を噛み込んだ時にモータの回転を逆転させることにより、パイプとコイルの間の異物の排除と装置の保護を目的とした自動復帰式安全装置を備える事を特徴とする請求項２記載のスクリューコンベヤー。
【請求項５】
直線および複数の曲がった部分を有するパイプ内面壁に直線状突起物を二か所長手方向に平行に固着することによりパーマネント状の切粉を効率良く昇り搬送することができる請求項２記載のスクリューコンベヤー。
【請求項６】
直線および複数の曲がった部分を有するパイプ内面壁に螺旋状突起物を固着することにより粘性を有する汚泥やケーキ等を効率良く昇り搬送することができる請求項２記載のスクリューコンベヤー。
【発明の詳細な説明】
【０００１】
【発明の属する技術分野】
本発明はスクリューコンベヤーに係り、特にリサイクル用資源ゴミ搬送において１か所以上の曲がった部分を有するパイプの中を軸無し螺旋状コイルを回転させ、自在屈曲搬送できるコイルコンベヤーに関する。
【０００２】
【従来の技術】
従来は、水平から垂直そして斜め又は再び水平搬送する時、複数の真っ直ぐなコンベヤーを組み合わせて搬送していた。又、屈曲自在搬送ではチューブの内側に螺旋状のコイルを組み合わせたチューブコンベヤーがあり、粉体や粒体搬送に使用されている。しかし、チューブコンベヤーでは曲率半径がコイル径の約２０倍以上と大きく機械装置の隙間での設置には困難が生じる。狭い場所への設置に不向きなことと、乗り継ぎによる長距離搬送が困難である。また、これまでのスクリューコンベヤー（特開平１１−２９２２４６）は、コイルの構造が複雑であり製作コストも掛かってしまう。このようなことから従来のコンベヤーは、異形混合物の樹脂系破砕物や金属加工機からの切粉、生活生ゴミの自在屈曲搬送および長距離搬送には向いていない。
【０００３】
【発明が解決しようとする課題】
本発明はリサイクル資源の搬送を目的とし、粉塵、悪臭を出さずに１台で自在屈曲搬送および長距離搬送ができることを課題とする。
【０００４】
【課題を解決するための手段】
上記の課題を解決するため、搬送能力や条件により市販パイプを選定しそのパイプに合わせコイルを螺旋状に巻きながら同時に熱処理加工をすることにより、搬送時におけるパイプの曲がった部分での耐磨耗性とねじれに対する強度を増した。最も過酷な条件として、屈曲しながらの昇り搬送はコイルに大きな力が加わるので２点駆動構造としコイルの負担を半減させることにより揚程を延ばすことができる。又、接続駆動ユニットとＳ字パイプの組み合わせにより複数のコンベヤーを接続し長距離搬送を可能にした。
【０００５】
請求項５に係わる発明は、直線状突起物とコイルがパーマネント状の切粉をほぐしながら推力を与え屈曲しながらの昇り搬送を容易にすることを特徴とする。
【０００６】
請求項６に係わる発明は、螺旋状突起物とコイルが汚泥やケーキのような粘性を有する搬送物に推力を与え屈曲しながらの昇り搬送を容易にすることを特徴とする。
【０００７】
【発明の実施の形態】
図面を用いて本発明を説明する。図１に本発明のコンベヤー側面概略図を示し、図２は図１におけるＡ−Ａ線断面拡大図、図３は図２におけるＢ−Ｂ線断面拡大図、図４は２点駆動を示した側面概略図である。図１において、１はパイプ、２はコイル、３Ａはモータである。コンベヤーは、コイル回転用モータ３Ａの作動によりコイル２が回転し搬送物をａからｂへと搬送する。炭素鋼の平板を加熱し心金に巻き付けると同時に、平板の内側をＨＲＣ４０以下にし外側をＨＲＣ４５以上となるように焼き入れ熱処理を加えることによりコイルに強度と粘りを持たせ、１か所以上の曲がった部分を有するパイプの中の昇り搬送を可能とする。曲がった部分を有し大きな揚程を必要とする搬送の場合には、２点駆動とすることにより図４の投入口側のモータ３Ａの回転によりコイルに巻きつける力と引っ張る力が加わる、それを図４の搬出口側のモータ３Ｂの回転によりほぐしながら圧縮の力を加えコイルのストレスを半減させる。２台のモータ電流値を測定したところ２台とも安定した同じ値を示したことからコイルのストレスを半減させていることが判る。このように２点駆動とすることにより、パイプの曲率半径を更に小さくすることと揚程を延ばすことができる。さらにパイプとコイルに異物が噛み込んだ時の自動復帰式安全装置（異物排除と装置保護）としてショックリレーを利用し、設定した電流値を超えた場合にはモータを停止し数秒後に自動的に逆転運転が開始され、再度数秒後に正転運転を開始する。この動作が設定された回数を超えた時のみ全ラインのシステムが非常停止となる。
【０００８】
図５（Ａ）は本発明に係わる直線状突起物の構造を示す側面概略図、（Ｂ）はＣ−Ｃ線断面拡大図である。図５において１はパイプ、２はコイル、４Ａは直線状突起物である。直線および複数の曲がった部分を有するパイプ内面壁に直線状突起物を二か所長手方向に平行に固着し、コイルを回転させ直線状突起物とコイルにより搬送物の推力を増すことができる。
【０００９】
図６（Ａ）は本発明に係わる螺旋状突起物の構造を示す側面概略図、（Ｂ）はＤ−Ｄ線断面拡大図である。図６において１はパイプ、２はコイル、４Ｂは螺旋状突起物である。直線および複数の曲がった部分を有するパイプ内面壁にコイルの巻き方向と正反対の巻き形状をした螺旋状突起物を固着しコイルを回転させ螺旋状突起物とコイルにより搬送物の推力を増すことができる。
【００１０】
【発明の効果】
以上の説明で明らかなように、コイルに強度と粘りを持たせることにより、パイプの曲率半径をコイル外径の１０倍以内での使用を可能とし、更に揚程６０００ｍｍ以上の昇り搬送をも可能にした。特に、従来の屈曲昇り搬送には２台、３台のコンベヤーをつなげてラインを構築してきたが、本発明においては１台のスクリューコンベヤーで搬送することが可能であり、なおかつ大半のモジュールユニットは市販の規格配管部品を使用しており、大幅にコストダウンとなった。
【００１１】
屋内外での長距離搬送を必要とする主目的であるリサイクル資源および生活生ゴミの搬送においては、要所に接続駆動ユニットを設置し複数のコンベヤーを備えたライン構成により、これらリサイクル資源、生活生ゴミの長距離搬送を可能とした。
【００１２】
現在、試作機（パイプ内径１００ｍｍ）での資源ゴミ、廃プラ破砕物、アルミ缶破砕物、ペットボトル破砕粉砕物、空き瓶カレット、切削加工の切粉などの搬送テストの結果は良好である。また、生ゴミや蓄糞肥料等の搬送にも応用が可能である。
【００１３】
従来のスクリューコンベヤーによるパーマネント状の切粉の搬送においては、切粉どうしが絡まりあい圧縮されコイルに負担をかけコイルやコンベヤーを破損させる原因となっていた。図５における直線状突起物を取り付けたスクリューコンベヤーにおいては、直線状突起物とコイルがパーマネント状の切粉をほぐしながら圧縮することなく切粉に推力を与え屈曲しながらの昇り搬送を容易にする。
【００１４】
図６における螺旋状突起物を取り付けたスクリューコンベヤーにおいては、汚泥、塗装やメッキの水処理の最終段階にて生じるケーキ、その他粘性を有する搬送物の屈曲しながらの昇り搬送を容易にする。
【図面の簡単な説明】
【図１】本発明に係るスクリューコンベヤーの側面概略図
【図２】図１におけるＡ−Ａ線断面拡大図
【図３】図２におけるＢ−Ｂ線断面拡大図
【図４】本発明に係わる２点駆動を示した側面概略図
【図５】本発明に係る直線状突起物を示す図であり、（Ａ）はその側面概略図、（Ｂ）はＣ−Ｃ線断面拡大図。
【図６】本発明に係る螺旋状突起物を示す図であり、（Ａ）はその側面概略図、（Ｂ）はＤ−Ｄ線断面拡大図。
【符号の説明】
１  パイプ
２  コイル
３Ａ、３Ｂ  モータ
４Ａ  直線状突起物
４Ｂ  螺旋状突起物
ａ  投入口
ｂ  搬出口
【図１】
2004224566.tif 000003
【図２】
2004224566.tif 000004
【図３】
2004224566.tif 000005
【図４】
2004224566.tif 000006
【図５】
2004224566.tif 000007
【図６】
2004224566.tif 000008